(57)【要約】【課題】  表示部に表示する画像データの表示処理を軽くし、表示処理を迅速化できるようにする。【解決手段】  表示部１１は画像データを表示する。記憶部７は表示部１１に表示する画像データを複数記憶する。設定部９は画像データを形成する画像要素を変更設定する。判別部２５は、表示部１１に表示するため記憶部７から読み出した画像データ中の画像要素について、操作部９で設定された変更画像要素が存在するか否か判別する。制御部３は、判別部２５にて変更画像要素が存在すると判別されたとき、変更画像要素で更新した更新画像データを形成して表示部１１に表示制御する。制御部３は、変更画像要素が存在しないと判別されたとき、読み出された画像データをそのまま表示部１１に表示制御する。【選択図】  図１
2008300973.tif 000002
【特許請求の範囲】
【請求項１】
画像データを表示する表示部と、
この表示部に表示する前記画像データを複数記憶する記憶部と、
前記画像データを形成する画像要素を変更設定する設定部と、
前記表示部に表示するため前記記憶部から読み出した前記画像データ中の画像要素について、前記設定部で設定された前記変更画像要素が存在するか否か判別する判別部と、
この判別部にて前記変更画像要素が存在すると判別されたとき、前記変更画像要素で更新した更新画像データを形成して前記表示部に表示制御するとともに、前記変更画像要素が存在しないと判別されたとき、読み出された前記画像データをそのまま前記表示部に表示制御する制御部と、
を具備することを特徴とする画像処理装置。
【請求項２】
前記制御部は、前記更新画像データを前記記憶部に更新記憶制御する請求項１記載の画像処理装置。
【請求項３】
前記画像データは、装置の操作画面画像データである請求項１又は２記載の画像処理装置。
【請求項４】
前記画像データの前記画像要素は、前記操作画面画像データに表示する符号情報である請求項３記載の画像処理装置。
【請求項５】
画像データの表示部への表示処理を実行制御するコンピュータに対し、
前記表示部に表示する前記画像データを記憶部に複数記憶する記憶処理と、
前記画像データを形成する画像要素を設定部から変更設定を受ける設定処理と、
前記表示部に表示するため前記画像データを前記記憶部から読み出し、前記画像データ中の画像要素について、設定された前記変更画像要素が存在するか否か判別する判別処理と、
この判別処理によって前記変更画像要素が存在すると判別されたとき、前記変更画像要素で更新した更新画像データを形成して前記表示部に表示制御し、前記変更画像要素が存在しないと判別されたとき、読み出された前記画像データをそのまま前記表示部に表示制御する表示制御処理と、
を実行させることを特徴とする画像処理プログラム。
【請求項６】
前記更新画像データを前記記憶部に更新記憶制御する記憶制御処理を実行させる請求項５記載の画像処理プログラム。
【請求項７】
前記画像データは装置の操作画面画像データであり、前記画像要素は前記操作画面画像データに表示する符号情報である請求項５又は６記載の画像処理プログラム。
【発明の詳細な説明】
【技術分野】
【０００１】
本発明は画像処理装置および画像処理プログラムに係り、例えば複合機（ＭＦＰ：Multi Function Peripheral）やプリンタ等の画像形成装置に用いて好適する画像処理装置および画像処理プログラムの改良に関する。
【背景技術】
【０００２】
複合機においては、その操作部と操作項目や動作状態の表示部とを兼ねる例えば液晶操作パネル部を有し、操作項目や動作状態表示用の複数の画像フォームデータおよびこの画像フォームデータに表示させる文字情報等を予め記憶しておき、操作や動作に応じて対応する画像フォームデータおよび文字情報を取得して画像データを形成し、これを操作パネル部に表示している。
【０００３】
近年、複合機の高機能化に伴い、その操作パネル部に表示される表示項目が増加し、操作パネル部の表示画面を切り換えるたびに、対応する画像フォームデータおよびこれに表示させる文字情報等を取得して画像データを形成表示するから、画像処理部分の負荷が増大し、表示速度の遅延等を招き易い問題がある。
【０００４】
そこで、例えば特開２００５−１３８５３０号公報（特許文献１）に示す画像出力装置を適用することも考えられる。
【０００５】
この特許文献１の構成は、操作パネルに写真画像の一覧を表示する場合にキャッシュメモリを用い、比較的最近表示され再表示される可能性が高い写真画像をキャッシュメモリに保持することにより、これらの写真画像を記録媒体からではなくキャッシュメモリから呼び出して表示し、表示処理を迅速かつ効率的に行えるようにしたものである。
【特許文献１】特開２００５−１３８５３０号公報
【発明の開示】
【発明が解決しようとする課題】
【０００６】
しかしながら、上述した特許文献１では、操作パネルに写真画像の一覧等のようにデータ量が多い画像情報をキャッシュしておくものであり、特殊な事例にしか適用できない難点があり、例えば操作パネル部に表示させる表示画面の表示処理を迅速かつ効率的に行うためには、更に特別の工夫が求められている。
【０００７】
本発明はそのような課題を解決するためになされたもので、表示する画像データの画像処理を軽減し、表示処理を迅速かつ効率的に行える画像処理装置および画像処理プログラムの提供を目的とする。
【課題を解決するための手段】
【０００８】
そのような課題を解決するために本発明に係る画像処理装置は、画像データを表示する表示部と、その画像データを複数記憶する記憶部と、個々のそれら画像データを形成する画像要素を変更設定する設定部と、その表示部に表示するためその記憶部から読み出した対応する画像データ中の画像要素について、設定されたその変更画像要素が存在するか否か判別する判別部と、この判別部が変更画像要素が存在すると判別したとき、その変更画像要素で更新した更新画像データを形成して上記表示部に表示制御するとともに、その変更画像要素が存在しないと判別されたとき、読み出された画像データをそのまま表示部に表示制御する制御部とを具備している。
【０００９】
本発明の画像処理装置では、上記制御部がその更新画像データを記憶部に更新記憶制御する構成も可能である。
【００１０】
本発明の画像処理装置では、上記画像データが装置の操作画面画像データである構成も可能である。
【００１１】
本発明の画像処理装置では、上記画像データの画像要素がその操作画面画像データに表示する符号情報である構成も可能である。
【００１２】
そして、本発明に係る画像処理プログラムは、画像データの表示部への表示処理を実行制御するコンピュータに対し、その表示部に表示する画像データを記憶部に複数記憶する記憶処理と、個々のそれら画像データを形成する画像要素を設定部から変更設定を受ける設定処理と、その表示部に表示するために画像データをその記憶部から読み出し、その画像データ中の画像要素について、設定された変更画像要素が存在するか否か判別する判別処理と、その判別処理によってその変更画像要素が存在すると判別されたとき、その変更画像要素で更新した更新画像データを形成して表示部に表示制御し、その変更画像要素が存在しないと判別されたとき、読み出された画像データをそのまま表示部に表示制御する表示制御処理とを実行させるものである。
【００１３】
本発明の画像処理プログラムでは、上記更新画像データをその記憶部に更新記憶制御する記憶制御処理を実行させる構成も可能である。
【００１４】
本発明の画像処理プログラムでは、上記画像データが装置の操作画面画像データであり、上記画像要素がその操作画面画像データに表示する符号情報である構成も可能である。
【発明の効果】
【００１５】
このような本発明に係る画像処理装置および画像処理プログラムでは、表示部に表示する画像データを記憶部に複数記憶し、その画像データ中の画像要素を設定部から変更設定し、その表示部に表示するためその記憶部から読み出した画像データの画像要素について、これに対応する変更画像要素が存在するか否か判別部で判別し、その変更画像要素が存在するとき、制御部にてその変更画像要素で更新した更新画像データを形成して表示部に表示制御し、その変更画像要素が存在しないと判別されたとき、読み出された画像データをそのまま表示部に表示制御するから、表示部に表示させる画像データの表示処理の負荷が軽減され、表示処理を迅速かつ効率的に行える。
【００１６】
本発明において、上記更新画像データをその記憶部に更新記憶制御する構成では、更新画像データの再利用が可能で、更新画像データの表示処理を迅速かつ効率的に行える。
【００１７】
本発明において、上記画像データを装置の操作画面画像データとし、上記画像要素をその操作画面画像データに表示する符号情報とする構成では、特に、装置の操作や動作表示の画像データの表示処理を迅速かつ効率的に行える。
【発明を実施するための最良の形態】
【００１８】
以下、本発明の実施の形態を図面を参照して説明する。なお、本発明に係る画像処理プログラムは本発明の画像処理装置を説明する過程で説明する。
【００１９】
図１は本発明に係る画像処理装置の実施の形態を複合機を例にして示すブロック図である。
【００２０】
図１において本発明に係る画像処理装置を含む複合機１は、制御部３を中心にして画像読取部５、記憶部７、操作部９、表示部１１、印刷部１３および通信部１５を有して構成されている。なお、これらの構成は複合機１の一部であり、他の構成は本発明に直接関係ないので説明および図示を省略する。
【００２１】
制御部３は、画像読取部５、記憶部７、操作部９、表示部１１、印刷部１３および通信部１５を制御するものであるが、詳細は後述する。
【００２２】
画像読取部５は、制御部３の制御の下、例えば印刷された複数頁の原稿から画像を光学的に読み込み、フィルタ処理、変倍処理および階調処理等をして電子的原稿画像データを印刷ジョブとして生成する公知のスキャナ等であり、生成した原稿画像データが原稿の頁毎に記憶部７に順次記憶されるようになっている。
【００２３】
記憶部７は、制御部３の制御の下、画像読取部５で読み取られたり通信部１５で受信された原稿画像データ、表示部１１に表示する後述する複数の操作画面画像データ（イメージデータ）他、制御部３の動作プログラムを格納する例えばハードディスク（ＨＤＤ）等である。なお、操作画面画像データにはこれを形成する画像要素（後述する。）としての文字情報等がはめ込まれている。
【００２４】
操作部９は、制御部３の制御の下、図示しない装置本体ケースの上部において、表示部１１に重ねるように配置された例えばタッチスイッチ入力部であり、表示部１１に表示する表示画面の切換え指示や、複合機１の設定値の入力を受け付けて制御部３に出力する機能を有している。
【００２５】
表示部１１は、制御部３の制御の下、例えば図２に示すように、複合機１の初期メニュー画面１７を表示する例えば液晶ディスプレイパネルであり、表示操作部を兼ねる場合もある。
【００２６】
図２に示す初期メニュー画面１７は、画面全体の矩形や円形の枠図形情報であるレイアウト画像１９の操作画面画像データと、このレイアウト画像１９にはめ込み表示された例えば「プリンタメニュー」、「ステータス」、「フォント」、「用紙設定」、「インターフェース」といった文字情報２１からなっている。
【００２７】
なお、図２に示す初期メニュー画面１７において、操作部９から例えば「用紙設定」又は「インターフェース」相当部をタッチ操作したとき、表示部１１に切換え表示されるメニュー画面１７ａ、１７ｂを図３および図４に示す。
【００２８】
印刷部１３は、制御部３の制御の下、操作部９からの操作に基づき記憶部７の原稿画像データを取り込み、印刷データとしてのイメージデータに展開し、印刷用紙に印刷して排紙する白黒又はカラー印刷エンジンであるが、公知のものであるから詳細な説明および図示は省略する。
【００２９】
通信部１５は、制御部３の制御の下、例えばインターネットや社内ＬＡＮ等の公知のネットワーク２３を介して外部のコンピュータ（図示せず。）等から原稿画像データを受信し、記憶部７に出力する機能を有するインターフェース部である。
【００３０】
制御部３は、ＣＰＵ、このＣＰＵの動作プログラムを格納したメモリ部、入出力インターフェース（いずれも図示せず。）を有し、画像読取部５、記憶部７、操作部９、表示部１１、印刷部１３および通信部１５を制御し、それらの機能の一部を担うとともに以下の機能を有している。
【００３１】
制御部３は、操作部９による表示切換え指示や複合機１の動作に伴い、対応する画面に関するレイアウト画像１９に文字情報２１が予めはめ込まれた操作画面画像データを記憶部７から読み出すとともに、表示部１１に表示制御する機能を有している。
【００３２】
すなわち、図２に示すような初期メニュー画面１７が表示された状態で、操作部９から例えば「用紙設定」又は「インターフェース」相当部をタッチ操作したとき、制御部３は、それらに対応し文字情報２１等がはめ込み表示された操作画面画像データを記憶部７から読み出し、図３又は図４に示すようなメニュー画面１７ａ、１７ｂを表示制御する。
【００３３】
制御部３は、複合機１の操作変更に関する変更設定（例えば手差しカセットの設定）や、操作部９から入力された複合機１の変更設定値（変更文字情報２１）を、レイアウト画像１９のはめ込み位置に関連付けて記憶部７に記憶する機能も有している。
【００３４】
なお、手差しカセットの設定は、例えば、ユーザによる当該手差しカセットの手動操作が図示しないセンサ設定部によって検出され、この検出結果が例えば「カセット」といった文字情報として取り込まれ、制御部３の制御の下、例えば記憶部７に設定保持されている。
【００３５】
さらに、制御部３は、表示部１１に表示するため記憶部７から読み出した操作画面画像データを形成する画像要素としての文字情報２１と、記憶部７に保持された変更文字情報２１を対応比較し、対応する変更文字情報２１が存在するか否か判別する判別部２５としての機能を有している。
【００３６】
制御部３は、判別部２５が変更文字情報２１が存在すると判別したとき、その変更文字情報２１で更新した更新操作画面画像データ（イメージデータ）を形成して表示部１１に表示制御するとともに、変更文字情報が存在しないと判別されたとき、読み出された操作画面画像データをそのまま表示部１１に表示制御する機能を有している。
【００３７】
例えば、手差しカセットが設定されている状況の下で、図２の「用紙設定」をタッチすると、図３に示すような「用紙の設定」のメニュー画面中の「手差しモード」においてカセットが指定されているか判別し、手差しカセットが指定されていないときには設定を変更更新し、例えば更新文字情報「カセット」とはめ込み表示することになる。
【００３８】
他方、図２の「インターフェース」をタッチすると、図４に示すような「インターフェースの設定」のメニュー画面中の「ＮｅｔＷａｒｅ」において所定の設定が指定されているか判別し、指定されていないときには設定を変更更新し、例えば更新文字情報「ＯＮ」と表示する。
【００３９】
制御部３は、更新操作画面画像データを形成したとき、この更新操作画面画像データを記憶部７に記憶制御する記憶制御機能も有し、次回、この更新操作画面画像データが読み出される。
【００４０】
次に、このような本発明の印刷データ処理装置の動作を、図５のフローチャートを参照して簡単に説明する。
【００４１】
なお、この動作においては、例えばユーザによって手差しカセットが手動操作され、カセットの変更情報が変更画像要素として取り込まれているものとする。
【００４２】
図５においてプログラムがスタートすると、ステップＳ１にて例えば初期メニュー等の画像データ表示処理が表示部１１で行われ、ステップＳ２にて操作部９からの画面切換操作の受付処理が行われ、ステップＳ３にて制御部３が記憶部７から切換え指示された操作画面画像データの読込処理を行う。
【００４３】
続く、ステップＳ４では判別部２５にて更新文字情報２１が有るか否か判別処理され、更新文字情報２１がなくてステップＳ４がＮＯであればステップＳ１に戻って画像データが表示され、ステップＳ１以降を処理する。
【００４４】
更新文字情報があってステップＳ４がＹＥＳであれば、ステップＳ５にて制御部３が変更画像要素で操作画面画像データを更新処理し、ステップＳ６にて制御部３が更新操作画面画像データを表示部１１に表示制御し、ステップＳ７にて制御部３が更新操作画面画像データを記憶部７に記憶制御してステップＳ１に戻り、ステップＳ１以降を処理する。
【００４５】
なお、図５に示すフローチャートは装置の電源遮断や図示しない処理ステップによって終了する。
【００４６】
このような処理手順が本発明に係る画像処理プログラムに該当する。
【００４７】
このように本発明に係る画像処理装置では、操作画面画像データとしての画像データを表示する表示部１１と、この表示部１１に表示するその操作画面画像データを複数記憶する記憶部７と、この操作画面画像データを形成する画像要素としての文字情報２１を変更設定する操作部（設定部）９と、その表示部１１に表示するため記憶部７から読み出した操作画面画像データの画像要素について、その操作部９で設定され該当する変更文字情報２１が存在するか否か判別する判別部２５と、この判別部２５が変更文字情報２１が存在すると判別したとき、その変更文字情報２１で更新した更新操作画面画像データを形成し表示部１１に表示制御するとともに、その変更文字情報２１が存在しないと判別されたとき、読み出された操作画面画像データをそのまま表示部１１に表示制御する制御部３とを具備している。
【００４８】
そのため、記憶された操作画面画像データのうち変更文字情報２１が存在しない操作画面画像データは、そのまま表示部１１に表示可能であるし、変更文字情報２１が存在する操作画面画像データについては、変更文字情報２１のみ更新変更して更新操作画面画像データを形成して表示部１１に表示するから、装置の操作画面画像データの表示処理が軽くなって表示処理を迅速かつ効率的に行える。
【００４９】
しかも、更新操作画面画像データをその記憶部７に更新記憶制御するから、更新操作画面画像データの再利用時に、その表示処理を迅速かつ効率的に行える。
【００５０】
なお、本発明に係る画像処理プログラムにおいても本発明の画像処理装置と同様の効果を有する。
【００５１】
本発明の画像処理装置において、表示部１１で表示する操作画面画像データは、装置の操作画面画像データに限定されるものではないが、装置の操作や動作画面画像データは、複数のものを階層的に切り換えて表示させるとともに、個々の画像データの画像要素（表示項目）が多くなり易いから、本発明は好適する。
【００５２】
また、この画像データを形成する画像要素としては、文字情報２１に限定されるものではなくて符号情報でも良いが、最も多用され易い文字情報２１が好適するであろう。
【００５３】
そして、本発明において、個々の画像データを形成する画像要素を変更設定する設定部としては、上述した操作部９に限らず、例えば、通信部１５を設定部としてこれを介して外部からオンラインで設定する構成も可能である。
【００５４】
さらに、本発明は画像処理装置および画像処理プログラムは、複合機１やプリンタ等に限らず、パソコンその他の画像処理装置に広く用いることが可能である。
【図面の簡単な説明】
【００５５】
【図１】本発明に係る画像処理装置の実施の一形態を複合機とともに示すブロック図である。
【図２】図１の表示部における表示例を示す図である。
【図３】図１の表示部における表示例を示す図である。
【図４】図１の表示部における表示例を示す図である。
【図５】本発明に係る画像処理装置の動作を説明するフローチャートである。
【符号の説明】
【００５６】
１  複合機
３  制御部
５  画像読取部
７  記憶部
９  操作部（設定部）
１１  表示部
１３  印刷部
１５  通信部（設定部）
１７  初期メニュー画面
１７ａ、１７ｂ  メニュー画面
１９  レイアウト画像
２１  文字情報（画像要素）
２３  ネットワーク
２５  判別部
【図１】
2008300973.tif 000003
【図２】
2008300973.tif 000004
【図３】
2008300973.tif 000005
【図４】
2008300973.tif 000006
【図５】
2008300973.tif 000007